(57)【要約】      （修正有）【課題】ねじ等により上半体と下半体とを固定する方法によらずに、工具を用いることなく簡単に組み立て作業ができ、部材も節約できることで、製作コストの軽減が可能なソケットを提供する。【解決手段】ランプ等０１１３の一端に突設した端子であるピン０１１４を嵌合するためのピン受端子０１１１を余裕をもってはめ込むためにはめ込み面にピン受端子用凹部０１１０を備えた第一ソケット半体０１０１と、第一ソケット半体のはめ込み面に対して押え面を合わせることで前記ピン受端子を押さえてガタつきをなくすとともに、前記ピンをピン受面からピン受端子に導くためのピン導入孔を有する第二ソケット半体０１０２と、両半体に挿通され係止されることで両半体を固定する板状ストッパー０１０６とでソケットを構成する。【選択図】図１
0003149163.tif 000002
【実用新案登録請求の範囲】
【請求項１】
ランプ等の一端に突設した端子であるピンを嵌合するためのピン受端子を余裕をもってはめ込むためにはめ込み面にピン受端子用凹部を備えた第一ソケット半体と、
第一ソケット半体のはめ込み面に対して押え面を合わせることで前記ピン受端子を押さえてガタつきをなくすとともに、前記ピンをピン受面からピン受端子に導くためのピン導入孔を有する第二ソケット半体と、
両半体に挿通され係止されることで両半体を固定する板状ストッパーと、
からなるソケット。
【請求項２】
板状ストッパーは、
金属製板の一部に板厚方向に付勢された切り抜き舌片と、
板状ストッパーの一端に設けられ、板状ストッパーがソケット半体に挿通される際に、挿入口で板状ストッパー端部を係止するための折り曲げ係止片と、を有し、
一のソケット半体には、他のソケット半体にまで続く挿通孔を有し、
他のソケット半体には、一のソケット半体の挿通孔に両半体固定状態で連通する他の挿通孔と、この挿通孔に設けられ前記付勢された切り抜き舌片を係止するための係止窓と、を有する請求項１に記載のソケット。
【請求項３】
第二ソケット半体の押え面と、第二ソケット半体の側面を介して第二ソケット半体にコの字状に巻きまわされ、央部に向けて付勢されながら両端側がピン受面から立設することで、自身に挿しこまれたランプ等を保持するためのコの字状サポート板ばねを有する請求項１または２に記載のソケット。
【請求項４】
第一ソケット半体のはめ込み面のピン受端子用凹部が複数あり、複数のピン受端子用凹部間に立設され、複数のピン受端子用凹部にはめ込まれるピン受端子間の絶縁距離を稼ぐための絶縁堤防を有する請求項１から３のいずれか一に記載のソケット。
【請求項５】
第二ソケット半体の押え面に巻きまわされるコの字状サポート板ばねの部分は、前記絶縁堤防上に配置される請求項４に記載のソケット。
【請求項６】
第二ソケット半体の押え面には、第一ソケット半体の絶縁堤防を挟むように立設されるサンドイッチ壁が備えられている請求項４または５に記載のソケット。
【考案の詳細な説明】
【技術分野】
【０００１】
本件考案は、二個のソケット半体とこれらを固定する板状ストッパーとを有するソケットに関する。
【背景技術】
【０００２】
ランプ等を着脱自在に保持するとともにリード線の先端に取り付けられた端子からランプ等への給電を支援するためのソケットに関しては、従来から、上下二個のソケット半体を有し、リード線の先端に取り付けられたピン受（うけ）端子をこれらの半体間に挟み込み、ねじやリベット（はとめを含む）で両半体を固定するものが知られている（例えば、特許文献１参照）。
【０００３】
図１４は、従来におけるかかるソケットの構造の一例を示す図である。このうち、図１４（ａ）は上下両ソケット半体を含むソケットの略中央部分における垂直断面図であり、図１４（ｂ）（下ソケット半体のみを示す）のＸ‐Ｘ断面にて上下両ソケット半体を切断した状態を示す。この図に示すように、当該ソケット１４００は、上ソケット半体１４０２と、下ソケット半体１４０１とを有し、これらが、両ソケット半体に設けられたねじ穴を利用してねじ１４１７で固定されている。
【０００４】
また、図１４（ｂ）は、図１４（ａ）から上ソケット半体を取り除いて下ソケット半体１４０１だけを平面図で示したものである。本図には、リード線１４１９の先端に取り付けられたピン受端子１４１１が電極穴部１４１０に装着されている状態が示されている。そして、このように下ソケット半体の電極穴部にピン受端子を装着した状態で、上から上ソケット半体を下ソケット半体に被せて両半体をねじで固定することで、電極穴部に装着されたピン受端子が両半体間に挟み込まれる形で固定されることになる。この結果、使用時には、ランプ等のピンを電極穴部に差し込みピン受端子に接触させることで、ランプ等をソケットに保持して配線用の端子からランプ等への給電を支援することが可能となっている。
【特許文献１】特開２００３‐０８６３１２
【考案の開示】
【考案が解決しようとする課題】
【０００５】
しかし、以上に説明したような従来のソケットは、ねじやリベット（はとめを含む）を用いて両ソケット半体を固定する必要があるため、固定用の工具（ドライバー、リベットハンマー、はとめパンチなど）を用いなければならず、組み立て作業に時間がかかり、また部材も余計に必要であった。このため、製作に時間的、経費的なコストがかかるという問題があった。
【０００６】
そこで、本考案の解決すべき課題は、このようなねじ等により上半体と下半体とを固定する方法によらずに、工具を用いることなく簡単に組み立て作業ができ、部材も節約できることで、製作コストの軽減が可能なソケットを提供することにある。
【課題を解決するための手段】
【０００７】
以上の課題を解決するため、本件考案に係るソケットは、板状ストッパーを用いて両半体を簡単に固定できるようにした。より詳細にいえば、両半体に板状ストッパーを挿通するための挿通孔などを設けた上で、この挿入孔などを利用して板状ストッパーを両半体に挿通して係止することにより両半体を固定するようにした。
【０００８】
このための第一の考案は、ランプ等の一端に突設した端子であるピンを嵌合するためのピン受端子を余裕をもってはめ込むためにはめ込み面にピン受端子用凹部を備えた第一ソケット半体と、第一ソケット半体のはめ込み面に対して押え面を合わせることで前記ピン受端子を押さえてガタつきをなくすとともに、前記ピンをピン受面からピン受端子に導くためのピン導入孔を有する第二ソケット半体と、両半体に挿通され係止されることで両半体を固定する板状ストッパーとからなるソケットを提供する。
【０００９】
また、第二の考案は、第一の考案を基礎として、板状ストッパーは、金属製板の一部に板厚方向に付勢された切り抜き舌片と、板状ストッパーの一端に設けられ、板状ストッパーがソケット半体に挿通される際に、挿入口で板状ストッパー端部を係止するための折り曲げ係止片と、を有し、一のソケット半体には、他のソケット半体にまで続く挿通孔を有し、他のソケット半体には、一のソケット半体の挿通孔に両半体固定状態で連通する他の挿通孔と、この挿通孔に設けられ前記付勢された切り抜き舌片を係止するための係止窓と、を有するソケットを提供する。
【００１０】
また、第三の考案は、第一または第二の考案を基礎として、第二ソケット半体の押え面と、第二ソケット半体の側面を介して第二ソケット半体にコの字状に巻きまわされ、央部に向けて付勢されながら両端側がピン受面から立設することで、自身に挿しこまれたランプ等を保持するためのコの字状サポート板ばねを有するソケットを提供する。
【００１１】
また、第四の考案は、第一から第三までのいずれか一の考案を基礎として、第一ソケット半体のはめ込み面のピン受端子用凹部が複数あり、複数のピン受端子用凹部間に立設され、複数のピン受端子用凹部にはめ込まれるピン受端子間の絶縁距離を稼ぐための絶縁堤防を有するソケットを提供する。
【００１２】
また、第五の考案は、第四の考案を基礎として、第二ソケット半体の押え面に巻きまわされるコの字状サポート板ばねの部分は、前記絶縁堤防上に配置されるソケットを提供する。
【００１３】
さらに、第六の考案は、第四または第五の考案を基礎として、第二ソケット半体の押え面には、第一ソケット半体の絶縁堤防を挟むように立設されるサンドイッチ壁が備えられているソケットを提供する。
【考案の効果】
【００１４】
本考案により、このようなねじ等により上半体と下半体とを固定する方法によらずに、工具を用いることなく簡単に組み立て作業ができ、部材も節約できることで、製作コストの軽減が可能なソケットを提供することが可能となる。
【考案を実施するための最良の形態】
【００１５】
以下に、本考案の実施例を説明する。実施例と請求項の相互の関係については、実施例１は主に請求項１、請求項２などに関し、実施例２は主に請求項３などに関し、実施例３は、請求項４、請求項５、請求項６などに関する。なお、本考案はこれら実施例に何ら限定されるものではなく、その要旨を逸脱しない範囲において、種々なる態様で実施しうる。
【実施例１】
【００１６】
<概要>
【００１７】
本実施例のソケットは、板状ストッパーを用いて両半体を固定するようにしたものである。より具体的には、両半体に板状ストッパーを挿通するための挿通孔などを設け、この挿入孔などを利用して板状ストッパーを両半体に挿通して係止し、これにより両半体を固定するようにしたものである。
【００１８】
<構成>
【００１９】
（全般）
【００２０】
はじめに、本考案に係るソケットの全般的な構成について述べる。
【００２１】
図１、図２は、本考案に係るソケットの一例を示す分解斜視図である。このうち、図１は分解状態の各部材を概ね斜め上方向から見た図であり、図２は概ね斜め下方向から見た図である。両図には、ソケットを構成する各部材のほか、説明の便宜のためにソケットに保持されるランプ等も合わせて示した。なお、両図の各部材等の対応関係を示すため、以下において一方の図だけを用いて説明している部材についても、両図において下二桁が共通する符号を付した。
【００２２】
図１に示すように、本考案に係るソケット０１００は、第一ソケット半体０１０１と、第二ソケット半体０１０２とを有し、これらが第二ソケット半体を上にして重ね合わせた状態で、各半体に備えられた挿通孔０１０５に挿通される板状ストッパー０１０６によって固定される（以下、第一ソケット半体と第二ソケット半体を合わせて「両半体」ということがある）。このため、本図の例では、挿通孔は第一ソケット半体と第二ソケット半体が固定された状態で連通するように重なり合う位置に設けられる。板状ストッパーについては後に詳細に説明するが、一言で言えば、ねじで固定する場合に比べ極めて簡単に両半体を固定することができる構造になっている。
【００２３】
第一ソケット半体のはめ込み面０１０３（本図では矢印が直接には一段高い面の一つだけを指しているが、略中央を貫く一段低い面とその両側の一段高い二つの面のすべての面をいう。）には、ピン受端子用凹部０１１０が備えられている。このピン受端子用凹部は、ランプ等０１１３の一端に突設した端子であるピン０１１４を嵌合するためのピン受端子０１１１を余裕をもってはめ込むためのものである。このピン受端子はリード線０１１９の先端に取り付けられている。本図では理解の容易のため、左側のリード線およびピン受端子を第一ソケット半体から分離した状態で示し、右側のリード線およびピン受端子を第一ソケット半体のピン受端子用凹部にはめ込んだ状態で示した。
【００２４】
一方、第二ソケット半体の上面にはピン導入孔０１１２が備えられている。このピン導入孔は、ランプ等０１１３の一端に突設した端子であるピン０１１４を第一ソケット半体に設けられたピン受面からピン受端子に導くためのものである。
【００２５】
両半体を板状ストッパーを利用して固定した状態では、第一ソケット半体のはめ込み面０１０３に第二ソケット半体の押え面０１０４を合わせることで、ピン受端子を押さえてガタつきをなくすことができる。本図の例では、図２により明瞭に現れているように、第二ソケット半体０２０２の押え面０２０４に突起０２２０が備えられている。そして、図１に戻り、この突起０１２０がリード線０１１９を介して（即ち直接的にはリード線を押さえつけることで）ピン受端子０１１１を第一ソケット半体のはめ込み面０１０３に備えられるピン受端子用凹部０１１０に対して押さえつけるとともに、第二ソケット半体の押え面のうちピン導入孔の周辺領域がピン受端子を直接押さえつけることにより、かかるガタつきのなくしをより好適に実施することが可能となっている。
【００２６】
図３は、第二ソケット半体の押え面のうちピン導入孔の周辺領域が直接ピン受端子を押さえつける構成を説明するための図である。本図は、第二ソケット半体０３０２を下面側から見た図である（左右対称であるため概ね右半分の図示を省略した）。本図に示す第二ソケット半体の押え面のうちピン導入孔０３１２の周辺領域（斜線で示す範囲）は、両半体を固定した状態においては、ピン受端子を第一ソケット半体のピン受端子用凹部（その占める範囲はほぼピン導入孔とその周辺領域を合わせた範囲に相当する）に対して、ピン受端子を直接押さえつけることとなる。
【００２７】
図１、図２に戻り、本図の例（図１により明瞭に現れている）のように、第一ソケット半体０１０１のはめ込み面０１０３のピン受端子用凹部０１１０が複数（本図の例では二個）あり、複数のピン受端子用凹部間に立設され、複数のピン受端子用凹部にはめ込まれるピン受端子間の絶縁距離を稼ぐための絶縁堤防０１１５が備えられていてもよい。また、本図の例（図２により明瞭に現れている）のように、さらに第二ソケット半体の押え面０２０４には、第一ソケット半体の絶縁堤防を挟むように立設されるサンドイッチ壁０２１８が備えられていてもよい。これらの例については別の実施例にて詳述する。
【００２８】
さらに、本図の例（図１により明瞭に現れている）のように、第二ソケット半体の押え面と、第二ソケット半体の側面を介して第二ソケット半体にコの字状に巻きまわされたコの字状サポート板ばね０１１６が備えられていてもよい。コの字状サポート板ばねについては別の実施例にて詳述する。
【００２９】
（板状ストッパーを用いてソケットを固定する構造）
【００３０】
次に、板状ストッパーを用いてソケットを固定する構造について説明する。
【００３１】
図４は、板状ストッパーを用いてソケットを固定する構造について説明するための図であって、ソケットの両半体を固定した状態での略中央部分における垂直断面図を示す。本図では、第一ソケット半体０４０１（左上がり斜線で示した部分が第一ソケット半体の端面を示す）と第二ソケット半体０４０２（右上がり斜線で示した部分が第一ソケット半体の端面を示す）がそれぞれの挿通孔を有し、第一ソケット半体のはめ込み面０４０３に対して第二ソケット半体の押え面０４０４を合わせた状態で、これに挿通された板状ストッパー０４０９によって両半体が固定された状態が示されている。このため、本図の例のように、一のソケット半体（本図の例では第一ソケット半体）には、他のソケット半体にまで続く挿通孔が備えられ、他のソケット半体（本図の例では第二ソケット半体）には、一のソケット半体の挿通孔に両半体固定状態で連通する他の挿通孔が備えられていることが望ましい。
【００３２】
また、板状ストッパーは、好適には金属製板の一部に板厚方向に付勢された切り抜き舌片０４０８と、板状ストッパーの一端に設けられ、板状ストッパーがソケット半体に挿通される際に、挿入口０４２１で板状ストッパー端部を係止するための折り曲げ係止片０４０９とを有する。かかる構造によって、両半体の固定を簡単に行うことができる。
【００３３】
なお、本図では、図１、２に示したのと同様、はめ込み面０４０３には絶縁堤防が、押え面０４０４にはサンドイッチ壁がそれぞれ備えられているため、はめ込み面と押え面が略中央部で凹凸をなして組み合わせられている例を示したが、はめ込み面と押え面がともに略平面であるといったものでもよい。
【００３４】
第二ソケット半体には、ピン導入孔０４１２が備えられている。このピン導入孔は、前記ピンをピン受面からピン受端子に導くためのものである。
【００３５】
また、第一ソケット半体のはめ込み面には、ピン受端子用凹部０４１０が備えられている。このピン受端子用凹部は、ランプ等の一端に突設した端子であるピンを嵌合するためのピン受端子０４１１を余裕をもってはめ込むためのものである。
【００３６】
本実施例のソケットの使用状態においては、ランプ等０４１３（二点鎖線で示す）の一端に突設した端子であるピン０４１４（二点鎖線で示す）を第二ソケット半体のピン導入孔に沿って第一ソケット半体のピン導入孔に導入し、ピン受端子用凹部に備えられたピン受端子に接触させて装着すればよい。本図でもランプ等のピンがピン受端子に嵌合された状態で、ピン受端子がピン受端子用凹部にはめ込まれた状態が示されている。
【００３７】
なお、本実施例のソケットは、第二ソケット半体に挿しこまれたランプ等を安定的に保持するためのコの字状サポート板ばね（別の実施例で詳述）を有していてもよい。
【００３８】
（第一ソケット半体）
【００３９】
次に、ソケットを構成する各部材について説明する。まず、第一ソケット半体について説明する。
【００４０】
図５は、第一ソケット半体の形状の一例を示す図であって、図１で示したソケットを構成する第一ソケット半体と同様のものを斜視図で示したものである。このうち、（ａ）は概ね斜め上方向から見た図であり、（ｂ）は概ね斜め下方向から見た図である。
【００４１】
図５（ａ）に示すように、第一ソケット半体０５０１は、ランプ等の一端に突設した端子であるピンを嵌合するためのピン受端子０５１１を余裕をもってはめ込むためにはめ込み面０５０３にピン受端子用凹部０５１０を備える。
【００４２】
図６はピン受け端子用凹部の形状の一例を示す図であり、図５からピン受端子を取り外したものである。図６（ａ）は斜視図であり、図６（ｂ）は平面図である（左右対称であるため概ね右半分の図示を省略した）。本図の例では、ピン受け端子用凹部０６１０は、底面が略矩形（ただし、略中央部分がピン受端子を挿入しやすいようにやや膨らんでいる）の柱状の空間をなす。図６（ｂ）中斜線で示した部分がピン受け端子用凹部の占める範囲である。
【００４３】
また、ピン受け端子用凹部は、ピン受端子を余裕をもってはめ込むためにピン受端子の寸法よりやや大きいことが望ましい。このようにすることで、複数のピンを有するランプに対応するため第一ソケット半体が複数のピン受け端子用凹部を有する場合に、ランプのピンの間隔（ピッチ）に製造ばらつきなどがあっても、ピン受け端子用凹部が、それぞれのピンの位置に的確に対応した位置でピン受端子を保持することが可能となる。さらに、このように寸法の余裕を持たせることで、一般的にソケットの組み立て作業におけるピン受端子の装着を容易に行うことも可能となる。このような構造であっても、ソケットを組み立てた際には、両半体が板状ストッパーにより確実に固定されるので、第二ソケット半体の押え面がピン受端子をピン受け端子用凹部底面に押さえつけて確実に固定することができる。
【００４４】
なお、本図に示す例のように、はめ込み面０６０３は略中央を横に貫く部分０６０３ａがその前後部分０６０３ｂより一段低くなっていてもよい。これは、次に述べる第二ソケット半体の押え面の略中央を横に貫く部分がその前後部分より一段高くなっていることと相まって、第一ソケット半体に第二ソケット半体を重ねる位置の位置決めを容易に行えるようにしたものである。
【００４５】
図５（ａ）に戻り、ソケットの使用状態においては、第一ソケット半体のはめ込み面に備えられたピン受端子用凹部にリード線０５１９の先端に取り付けられたピン受端子が装着されるとともに、ランプ等の一端に突設した端子であるピン（図示されない）がこのピン受端子に嵌合した状態となる。
【００４６】
なお、既に言及したように、板状ストッパーが両半体に挿通され係止されることから、一のソケット半体には、他のソケット半体にまで続く挿通孔を有し、他のソケット半体には、一のソケット半体の挿通孔に両半体固定状態で連通する他の挿通孔と、この挿通孔に設けられ付勢された切り抜き舌片を係止するための係止窓とを有することが望ましい。本図では、一のソケット半体が第一ソケット半体であり、第一ソケット半体の合わせ面の両端部付近に第二ソケット半体にまで続く二個の挿通孔０５０５が備えられている例が示されている。
【００４７】
さらに、本図に示すように、第一ソケット半体のはめ込み面のピン受端子用凹部０５１０が複数（本図の例では二個）備えられ、また、これら複数のピン受端子用凹部間に立設されている堤防０５１５が備えられていてもよい。これらの詳細については、別の実施例にて後述する。
【００４８】
このほか、本図に示す第一ソケット半体には、当該ソケット半体を固定面にねじ等で固定するためのねじ挿通穴が備えられているが、このねじ挿通穴は、固定面のねじ等の位置を位置決めしやすいように、第一ソケット半体の下面（裏面）より若干浮いた位置に備えられていることが望ましい。また、第二ソケット半体にサポート板ばねが備えられる場合には、ねじ挿通穴とサポート板ばねとの間に段差を設けることが望ましい。これは、サポート板ばねを付けた状態でもねじ等の脱着が容易にできるようにするためである。
【００４９】
図５（ｂ）には、第一ソケット半体０５０１の下面に設けられた挿入口０５２１が現れている。挿入口は、全体が第一ソケット半体の下面０５２２に対して板状ストッパーの係止片の厚み分だけ凹んでおり、端側が挿通孔０５０５に連なっている。係止片の厚み分凹んでいるのは、係止片を第一ソケット半体の下面にしっかりと固定するとともに、ソケットを床などに固定した場合に係止片によってガタつきが生じることがないようにするためである。
【００５０】
（第二ソケット半体）
【００５１】
次に、第二ソケット半体について説明する。
【００５２】
図７は、第二ソケット半体の形状の一例を示す図であって、図１で示したソケットを構成する第二ソケット半体と同様のものを斜視図で示したものである。このうち、（ａ）は概ね斜め上方向から見た図であり、（ｂ）は概ね斜め下方向から見た図である。
【００５３】
図７（ａ）に示すように、第二ソケット半体０７０２は、第一ソケット半体のはめ込み面に対して押え面（図には現れない）を合わせることで前記ピン受端子を押さえてガタつきをなくすとともに、前記ピンをピン受面からピン受端子に導くためのピン導入孔０７１２を有する。
【００５４】
前出の図４に示されているように、本実施例のソケットの使用状態においては、第二ソケット半体０４０２に装着されたランプ等０４１３のピン０４１４がピン導入孔０４１２に導入された状態となる。そして、当該ピンが第一ソケット半体０４０１のピン受端子０４１０に接触する形で装着される。この結果、リード線の先端に取り付けられた端子からランプ等への給電を支援することが可能となる。
【００５５】
また、一のソケット半体には、他のソケット半体にまで続く挿通孔を有し、他のソケット半体には、一のソケット半体の挿通孔に両半体固定状態で連通する他の挿通孔と、この挿通孔に設けられ前記付勢された切り抜き舌片を係止するための係止窓とを有することが望ましい。図７に示す例では、他のソケット半体が第二ソケット半体であり、第二ソケット半体０７０２には第一ソケット半体の挿通孔に両半体固定状態で連通する他の挿通孔０７０５と、この挿通孔に設けられ付勢された切り抜き舌片を係止するための係止窓０７０７を有する例が示されている。
【００５６】
また、ピン受面０７２３の周囲に設けられた壁０７２４の厚みが前後(本図では左上に現れている壁と右下に現れている壁）で異なっていてもよい。これはランプ等によっては装着に際しての前後の向きが決まっているものがあるので、その区別がしやすいようにするためである。同様に、二個のピン導入孔の形状に違いがあってもよく、これはランプ等のピンをどちらの電極側のピン受端子に装着すればよいかの区別がしやすいようにするためである。
【００５７】
図７（ｂ）には、第二ソケット半体０７０２の押え面０７０４まで貫通した挿通孔０７０５が現れている。
【００５８】
（板状ストッパー）
【００５９】
次に、板状ストッパーについて説明する。板状ストッパーは、両半体に挿通され係止されることで両半体を固定するように構成されている。
【００６０】
図８は、板状ストッパーの形状の一例を示す図である。板状ストッパーは、金属製板である。
【００６１】
本図に示す板状ストッパー０８０５は、その一部に板厚方向に付勢された切り抜き舌片０８０８を有する、本図の例では、切り抜き舌片は、板状ストッパーが両半体に挿通された場合における外側方向である矢印Ａ方向に付勢される。
【００６２】
また、板状ストッパーは、その一端に設けられ、板状ストッパーがソケット半体に挿通される際に挿入口で板状ストッパー端部を係止するための折り曲げ係止片０８０９を有する。
【００６３】
板状ストッパーは、先端が少し細くなっていてもよい。これは挿入口から挿通孔に差し込みやすいようにするためである。本図では、先端に切り欠きを有する例が示されている。
【００６４】
また、板状ストッパーの切り抜き舌片は、両端に少し隙間を有するものであってもよい。これは矢印Ａ方向に付勢されるときに切り抜き舌片の左右両端がこすれることなくスムーズに動くようにするためである。同様の理由から、切り抜き舌片の下端にも少し隙間が設けられていてもよい。
【００６５】
図４には、板状ストッパーが両半体に挿通され係止されている状態の一例も示されている。本図に示す板状ストッパーは、図８に示したものと同じ形状の例である。また、本図に示す両半体は、図５、図７の例と同様、第一ソケット半体が第二ソケット半体にまで続く挿通孔０４０５を有し、第二ソケット半体が第一ソケット半体の挿通孔に両半体固定状態で連通する他の挿通孔０４０５と、この挿通孔に設けられ付勢された切り抜き舌片を係止するための係止窓０４０７とを有する例である。本図は、かかる場合において、板状ストッパーが第一ソケット半体下面側から‐具体的には第一ソケット半体下面に設けられた挿入口から‐第一ソケット半体、第二ソケット半体に挿入され、板状ストッパーが、その有する折り曲げ係止片によって第一ソケット半体に係止されるとともに、その有する切り抜き舌片によって、第二ソケット半体の挿通孔に設けられた係止窓によって第二ソケット半体に係止されている例を示している。
【００６６】
図９は、板状ストッパーを両半体の挿通孔に挿入されて完全に係止されるまでの過程を説明するための図である。まず、図９（ａ）に示すように、板状ストッパーが第一ソケット半体の下面に設けられた挿入口から第一ソケット半体に挿入される。この状態では、板状ストッパーに設けられた切り抜き舌片０９０８は矢印Ａ方向への付勢力によって外側に少し張り出した状態になっている。次に、図９（ｂ）に示すように、板状ストッパーは、さらに挿入されて第一ソケット半体内を上に移動する。このとき、切り抜き舌片は第一ソケット半体の挿通孔内において外側に押しつけられた状態となっている。さらに、最終的に板状ストッパーの挿入が完了した状態が前出の図４の状態であって、板状ストッパーが両半体に完全に係止された状態となる。このとき、舌片は係止窓０４０７の位置に重なるため、図９（ａ）に示した矢印Ａ方向への付勢力によって係止窓から外側に少し張り出した状態となる。このため、板状ストッパーの下方向への移動が窓内の下面に規制され、これによって板状ストッパーが両半体から抜けることなく、両半体を固定することが可能となる。なお、板状ストッパーを両半体から取り外す必要が生じた場合には、例えば、細いドライバーの先端等で係止窓内の舌片を内側に押しつけつつ少し下にずらせ、これによって第一ソケット半体下面との間に少し隙間を生じた係止片を指でつまんで板状ストッパーを下方向に引き出すようにすればよい。この点、ねじやリベット（はとめを含む）を用いて組み立てられる従来のソケットは、分解も容易ではなく（壊さないと分解できない場合もある）、またこのためいったん分解すると再び組み立てることが困難な場合があったのに比べ、本考案のソケットは、分解・再組み立てが容易であるという特徴も有する。
【００６７】
このように、板状ストッパーの両半体への着脱は、ねじ等を用いる場合に比べて極めて簡単に行うことができる。そこで、このように板状ストッパーを用いて両半体を固定する方法を用いれば、ねじ等をもちいる場合に比べ、簡単にソケットの組み立て作業ができ、そのための部材も節約できる。
【００６８】
（ソケットの寸法）
【００６９】
以上に述べたソケットおよびこれを構成する各部材の寸法は、ピン受端子凹部間の寸法が規格に適合するなど上記機能を実用的に発揮できるものであれば、特に限定はない。なお、好適な寸法の一例として、ソケットを組み立てた状態おいて、左右の幅（例えば図３で言えば当該断面図における左端から右端までの幅を言う。）の幅は約３５ｍｍ、前後（ねじ挿通穴を含む）の長さは約４０ｍｍ、高さは約１５ｍｍである。また、第一ソケット半体の高さ（絶縁堤防を含む）は約１３ｍｍであり、第二ソケット半体の高さ（ピン受面の周囲に設けられた壁の上端から突起の先端までの高さ）は約１５ｍｍである。この場合におけるその他の各部材の寸法は、ほぼ図１、図２などに現れている両半体に対する比率に応じた寸法である。
【００７０】
<効果>
【００７１】
本実施例により、簡単に組み立て作業ができ、部材も節約できることで、もって製作コストの軽減が可能なソケットを提供することが可能となる。
【実施例２】
【００７２】
<概要>
【００７３】
本実施例のソケットは、実施例１のソケットと基本的に共通するが、さらにソケットに挿しこまれたランプ等を保持するためのコの字状サポート板ばねを有する点に特徴がある。
【００７４】
<構成>
【００７５】
（全般）
【００７６】
本実施例のソケットは、実施例１のソケットと基礎として、第二ソケット半体の押え面と、第二ソケット半体の側面を介して第二ソケット半体にコの字状に巻きまわされ、央部に向けて付勢されながら両端側がピン受面から立設することで、自身に挿しこまれたランプ等を保持するためのコの字状サポート板ばねを有するものである。
【００７７】
図１０は、本実施例のソケットの外観の一例を示す図である。本図に示すソケット１０００は、第一ソケット半体１００１と第二ソケット半体１００２と板状ストッパー（図には現れない）を有するほか、コの字状サポート板ばね１０１６を有する。
【００７８】
図１１は、本実施例のソケットの使用状態の一例を示す図であって、ランプ１１１３を第二ソケット半体１１０２側から取り付けた状態を斜め上方向から見た斜視図である。本図には、コの字状サポート板ばねが第二ソケット半体の側面を介して第二ソケット半体にコの字状に巻きまわされ、コの字状サポート板ばねの両端側がピン受面から立設した状態が示されている。この両端部は央部に向けて付勢されており、この付勢力によってソケットに挿しこまれたランプを保持している。
【００７９】
以下、コの字状サポート板ばねの構成について説明する。第一ソケット、第二ソケットおよび板状ストッパーの構成は実施例１と同様であるから、説明を省略する。
【００８０】
（コの字状サポート板ばね）
【００８１】
図１２は、コの字状サポート板ばねの形状の一例を示す図である。本図に示すコの字状サポート板ばね１２１６は、好適には金属製板である。
【００８２】
コの字状サポート板ばねは、ソケットに挿しこまれたランプ等を保持するためのものである。この目的を達成するため、コの字状サポート板ばねは、第二ソケット半体の押え面と、第二ソケット半体の側面を介して第二ソケット半体にコの字状に巻きまわされる。このため、コの字状サポート板ばねの形状は、好適には、本図に示すように両端部が立設したコの字状の形状をしている。この両端部は央部に向けて矢印Ｂ方向・Ｂ´方向に付勢されている。
【００８３】
コの字状サポート板ばねと第二ソケット半体の押え面との間には、樹脂などの薄い緩衝部材をはさんでもよい。これにより、コの字状サポート板ばねが矢印Ｂ方向・Ｂ´方向に付勢されたときに、コの字状サポート板ばねの中央部分の図中矢印Ｃ方向・Ｃ´方向への撓みをスムーズに実現できる。
【００８４】
このコの字状サポート板ばねを有するソケットの組み立て作業も簡単である。即ち、コの字状サポート板ばねを第二ソケット半体の側面を介して第二ソケット半体にコの字状に巻きした状態で、両半体を重ね合わせ、あとは図１０に示したのと同じ要領で板状ストッパーを両半体の挿通孔に挿入して完全に係止させればよい。即ち、コの字状サポート板ばねは、板状ストッパーによって両半体が固定されれば、両半体に挟まれる形で固定されるため、やはりねじ等をもちいる必要がなく、ねじ等をもちいる場合に比べ、簡単にソケットの組み立て作業ができ、そのための部材も節約できる。
【００８５】
<効果>
【００８６】
本実施例により、ソケットに挿しこまれたランプを安定的に保持することができる。また、コの字状サポート板ばねを簡単にソケットの組み立て作業ができ、部材も節約できることで、もって製作コストの軽減が可能なソケットを提供することが可能となる。
【実施例３】
【００８７】
<概要>
【００８８】
本実施例のソケットは、実施例１又は２のソケットと基本的に共通するが、第一ソケット半体のはめ込み面のピン受端子用凹部が複数あり、複数のピン受端子用凹部間に立設され、複数のピン受端子用凹部にはめ込まれるピン受端子間の絶縁距離を稼ぐための絶縁堤防を有する点に特徴がある。
【００８９】
<構成>
【００９０】
（全般）
【００９１】
本実施例のソケットは、実施例１又は２のソケットと基本的に共通するが、第一ソケット半体のはめ込み面のピン受端子用凹部が複数あり、複数のピン受端子用凹部間に立設され、複数のピン受端子用凹部にはめ込まれるピン受端子間の絶縁距離を稼ぐための絶縁堤防を有する点に特徴がある。以下、複数のピン受端子用凹部、絶縁堤防について順次説明する。なお、第一ソケット、第二ソケット、板状ストッパーおよびコの字状サポート板ばねの構成は実施例１又は２と同様であるから、説明を省略する。
【００９２】
（複数のピン受端子用凹部）
【００９３】
前出の図１等には、第一ソケット半体のはめ込み面のピン受端子用凹部が複数（同図の例では二個）あり、また、複数のピン受端子用凹部間に立設され、複数のピン受端子用凹部にはめ込まれるピン受端子間の絶縁距離を稼ぐための絶縁堤防が設けられている例が示されている。このように第一ソケット半体のはめ込み面のピン受端子用凹部が複数あるのは、ランプ等の一端に突設したピンが複数ある場合に対応するものである。
【００９４】
（絶縁堤防）
【００９５】
また、図２には、第一ソケット半体が絶縁堤防を有する例が示されている。この絶縁堤防は、ピン受端子用凹部が複数あり、複数のピン受端子用凹部にはめ込まれるピン受端子が複数ある場合に、これら複数のピン受端子の間などに配置される金属製などのコの字状サポート板ばねがピン受端子と接触することがないように、ピン受端子・コの字状サポート板ばね間の絶縁距離を稼ぐためのものである。このようにすることで、ソケット全体としてスペース（特に左右の幅）を節約してコンパクトなものとすることができ、部材費を節約することが可能となる。
【００９６】
なお、第二ソケット半体の押え面に巻きまわされるコの字状サポート板ばねの部分は、前記絶縁堤防上に配置されることが望ましい。このようにすることで、コの字状サポート板ばねがピン受端子と接触することがないようにすることを一層確実に実現することが可能となる。
【００９７】
さらに、第二ソケット半体の押え面には、第一ソケット半体の絶縁堤防を挟むように立設されるサンドイッチ壁が備えられていることが望ましい。
【００９８】
図１３には、押え面にサンドイッチ壁１３１８を備える第二ソケット半体の一例が示されている。このようにサンドイッチ壁が備えられている例が示されている。このようにすることで、ソケットを組み立てる際に、絶縁堤防をサンドイッチ壁の間に容易に導くことが可能となり、両半体の位置決めを簡単・適切に行ってソケットを容易に組み立てることが可能となる。
【００９９】
なお、本図に示すように、サンドイッチ壁は、第二ソケット半体の押え面の前後幅よりも若干短いものであってもよい。これによりサンドイッチ壁の間への絶縁堤防の導入が一層容易になる。
【０１００】
<効果>
【０１０１】
本実施例により、ソケットのスペースを節約して部材費を節約することができる。また、両半体の位置決めを簡単・適切に行ってソケットを容易に組み立てることが可能となる。
【図面の簡単な説明】
【０１０２】
【図１】本考案に係るソケットの一例を示す分解斜視図
【図２】本考案に係るソケットの一例を示す分解斜視図
【図３】第二ソケット半体の押え面のうちピン導入孔の周辺領域が直接ピン受端子を押さえつける構成を説明するための図
【図４】板状ストッパーを用いてソケットを固定する構造について説明するための図
【図５】第一ソケット半体の形状の一例を示す図
【図６】ピン受け端子用凹部の形状の一例を示す図
【図７】第二ソケット半体の形状の一例を示す図
【図８】板状ストッパーの形状の一例を示す図
【図９】板状ストッパーを両半体の挿通孔に挿入されて完全に係止されるまでの過程を説明するための図
【図１０】実施例２のソケットの外観の一例を示す図
【図１１】実施例２のソケットの使用状態の一例を示す図
【図１２】コの字状サポート板ばねの形状の一例を示す図
【図１３】押え面にサンドイッチ壁を備える第二ソケット半体の一例を示す図
【図１４】従来におけるかかるソケットの構造の一例を示す図
【符号の説明】
【０１０３】
０１００      ソケット
０１０１      第一ソケット半体
０１０２      第二ソケット半体
０１０３      はめ込み面
０１０４      押え面
０１０５      挿通孔
０１０６      板状ストッパー
０１１０      ピン受端子用凹部
０１１１      ピン受端子
０１１２      ピン導入孔
０１１３      ランプ等
０１１４      ピン
０１１５      絶縁堤防
０１１６      コの字状サポート板ばね
０１１９      リード線
０１２０      突起
【図１】
0003149163.tif 000003
【図２】
0003149163.tif 000004
【図３】
0003149163.tif 000005
【図４】
0003149163.tif 000006
【図５】
0003149163.tif 000007
【図６】
0003149163.tif 000008
【図７】
0003149163.tif 000009
【図８】
0003149163.tif 000010
【図９】
0003149163.tif 000011
【図１０】
0003149163.tif 000012
【図１１】
0003149163.tif 000013
【図１２】
0003149163.tif 000014
【図１３】
0003149163.tif 000015
【図１４】
0003149163.tif 000016